(57)【要約】【課題】各表示素子と各画素との位置合わせを高精度で行うことなく、表示パネルの輝度分布データを簡易に取得できるようにする。【解決手段】輝度測定装置は複数の表示素子が二次元格子状に配置された表示パネルの輝度を測定する。輝度測定装置は表示パネルの光学画像に応じた撮像信号を出力する撮像手段と、撮像手段から出力される撮像信号を用いて光学画像に応じた画像データを生成する画像データ生成手段と、画像データ生成手段により生成される画像データを用いて、表示パネルを構成する表示素子のうち同じタイミングに点灯する表示素子の個数と撮像手段の解像度とに応じて定められる測定領域内の輝度値を測定領域ごとに累積する累積手段とを有する。【選択図】図１
2009156704.tif 000002
【特許請求の範囲】
【請求項１】
複数の表示素子が二次元格子状に配置された表示パネルの輝度を測定する輝度測定装置であって、
前記表示パネルの光学画像に応じた撮像信号を出力する撮像手段と、
前記撮像手段から出力される前記撮像信号を用いて前記光学画像に応じた画像データを生成する画像データ生成手段と、
前記画像データ生成手段により生成される前記画像データを用いて、前記表示パネルを構成する前記表示素子のうち同じタイミングに点灯する表示素子の個数と前記撮像手段の解像度とに応じて定められる測定領域内の輝度値を前記測定領域ごとに累積する累積手段とを有する輝度測定装置。
【請求項２】
前記累積手段により累積された累積輝度値を用いて、前記複数の表示素子それぞれの輝度を示す輝度値データを生成する輝度値データ生成手段を更に有する請求項１記載の輝度測定装置。
【請求項３】
前記画像データを用いて他の領域よりも輝度値の高い高輝度領域を検出する検出手段と、
前記検出手段により検出された前記高輝度領域内で前記輝度値の最も高い最高輝度値を示す最高輝度位置を中心として前記測定領域を決める測定領域決定手段とを更に有し、
前記累積手段は、前記測定領域決定手段により決定された前記測定領域内の輝度値を累積する請求項１または２記載の輝度測定装置。
【請求項４】
前記表示素子の点灯するタイミングを示すタイミング信号を入力するタイミング信号入力手段と、
前記タイミング信号入力手段が前記タイミング信号を入力したときに、前記画像データ生成手段、前記累積手段および前記輝度値データ生成手段を作動させて前記輝度値データを生成させる撮影制御手段とを更に有する請求項１〜３のいずれか一項記載の輝度測定装置。
【請求項５】
前記複数の表示素子の一部の表示素子が二次元格子状に配置され、かつ配置されている表示素子の個数が縦横それぞれについて同じ複数の点灯ブロックすべてについて、各点灯ブロック内に配置される前記複数の表示素子のうち、前記点灯ブロック内での位置が同じ表示素子を１つだけ同じタイミングに点灯させる点灯制御信号を前記表示パネルに出力する点灯制御手段を更に有する請求項１〜４のいずれか一項記載の輝度測定装置。
【請求項６】
複数の表示素子が二次元格子状に配置された表示パネルの輝度を測定する輝度測定方法であって、
前記表示パネルの光学画像に応じた撮像信号を用いて前記光学画像に応じた画像データを生成し、
前記画像データを用いて、前記表示パネルを構成する前記表示素子のうち同じタイミングに点灯する表示素子の個数と前記撮像信号を出力する撮像手段の解像度とに応じて定められる測定領域内の輝度値を前記測定領域ごとに累積する輝度測定方法。
【請求項７】
複数の表示素子が二次元格子状に配置された表示パネルと、
前記複数の表示素子の一部の表示素子が二次元格子状に配置され、かつ配置されている表示素子の個数が縦横それぞれについて同じ複数の点灯ブロックすべてについて、各点灯ブロック内に配置される前記複数の表示素子のうち、前記点灯ブロック内での位置が同じ表示素子を１つだけ同じタイミングに点灯させる点灯制御手段とを有する表示装置。
【請求項８】
前記点灯制御手段が前記表示素子を点灯させるタイミングを示すタイミング信号を外部に出力するタイミング信号出力手段を更に有する請求項７記載の表示装置。
【請求項９】
前記点灯制御手段は、前記複数の点灯ブロックすべてについて、点灯させる前記表示素子を順次切り換える請求項７または８記載の表示装置。
【発明の詳細な説明】
【技術分野】
【０００１】
本発明は、有機ＥＬ（electroluminescence）表示パネル、液晶表示パネル、ＳＥＤ（Surface-conductionElectron-emitter  Display）等の表示パネルの輝度を測定する輝度測定装置および輝度測定方法並びに表示パネルを備えた表示装置に関する。
【背景技術】
【０００２】
従来、有機ＥＬ表示パネル、液晶表示パネル，ＳＥＤといった表示パネルを備えた表示装置が知られている。この種の表示装置は、表示パネルに輝度ムラ等による表示のムラが生じやすいため、従来、表示装置に関するムラを検出する技術が知られていた。
【０００３】
例えば、特許文献１には、ムラ欠陥検出方法が開示されている。この方法では、対象となる画素の周囲に配置された輝度比較画素の輝度値に基づきムラ成分を強調するフィルタを用いてムラ成分を強調することにより、面状に広がるムラを検出するようにしている。
【特許文献１】特開２００６−１４５２２８号公報
【発明の開示】
【発明が解決しようとする課題】
【０００４】
有機ＥＬ表示パネル等の表示パネルを構成する表示素子は、それぞれの発光効率にばらつきがあるなどの理由から、表示パネルは全体として輝度ムラが生じる。
【０００５】
しかしながら、表示素子同士の輝度ムラを抑えて、表示パネルを製造することは困難である。
【０００６】
この点、各表示素子の輝度レベルに応じて表示信号のレベルを調整することにより、表示パネルで均一の輝度を実現することも可能である。そのためには、表示素子の輝度が表示パネル上、どのように分布しているかを示した輝度分布のデータが必要となる。輝度分布データは表示素子自体から取得することはできないため、各表示素子を発光させて表示パネルの発光状態を調査する必要がある。
【０００７】
そのひとつの方法として、表示素子を発光させた上で、表示パネルをカメラで撮影するという方法がある。この方法によれば、カメラで撮影した画像から各画素のデータを得ることで輝度分布データを得ることができる。
【０００８】
しかし、この方法では、発光している表示素子がカメラの撮影画像中のどこに対応するかを明らかにする必要があり、そのためには、表示パネルの各表示素子の位置とカメラの各画素の位置とが一致している必要がある。したがって、各表示素子とカメラの各画素との位置合わせを高精度で行わねばならない。表示パネルを効率的に生産するためには、この位置合わせを高精度で行うことなく、輝度分布データを簡易に取得できる技術が求められる。
【０００９】
そこで、本発明は上記課題を解決するためになされたもので、各表示素子と各画素との位置合わせを高精度で行うことなく、表示パネルの輝度分布データを簡易に取得できるようにした輝度測定装置および輝度測定方法並びに表示パネルを備えた表示装置を提供することを目的とする。
【課題を解決するための手段】
【００１０】
上記課題を解決するため、本発明は、複数の表示素子が二次元格子状に配置された表示パネルの輝度を測定する輝度測定装置であって、表示パネルの光学画像に応じた撮像信号を出力する撮像手段と、撮像手段から出力される撮像信号を用いて光学画像に応じた画像データを生成する画像データ生成手段と、画像データ生成手段により生成される画像データを用いて、表示パネルを構成する表示素子のうち同じタイミングに点灯する表示素子の個数と撮像手段の解像度とに応じて定められる測定領域内の輝度値を測定領域ごとに累積する累積手段とを有する輝度測定装置を特徴とする。
【００１１】
また、本発明は、複数の表示素子が二次元格子状に配置された表示パネルの輝度を測定する輝度測定方法であって、表示パネルの光学画像に応じた撮像信号を用いて光学画像に応じた画像データを生成し、画像データを用いて、表示パネルを構成する表示素子のうち同じタイミングに点灯する表示素子の個数と撮像信号を出力する撮像手段の解像度とに応じて定められる測定領域内の輝度値を測定領域ごとに累積する輝度測定方法を提供する。
【００１２】
また、本発明は複数の表示素子が二次元格子状に配置された表示パネルと、複数の表示素子の一部の表示素子が二次元格子状に配置され、かつ配置されている表示素子の個数が縦横それぞれについて同じ複数の点灯ブロックすべてについて、各点灯ブロック内に配置される複数の表示素子のうち、点灯ブロック内での位置が同じ表示素子を１つだけ同じタイミングに点灯させる点灯制御手段とを有する表示装置を提供する。
【発明の効果】
【００１３】
以上詳述したように、本発明によれば、各表示素子と各画素との位置合わせを高精度で行うことなく、表示パネルの輝度分布データを簡易に取得できるようにした輝度測定装置および輝度測定方法並びに表示パネルを備えた表示装置が得られる。
【発明を実施するための最良の形態】
【００１４】
以下、本発明の実施の形態について説明する。なお、同一要素には同一符号を用い、重複する説明は省略する。
【００１５】
図１は、本発明の実施の形態に係る輝度測定装置１を備えた輝度測定システム１００の構成を示すブロック図である。輝度測定システム１００は、輝度測定装置１と、表示装置３０とを有し、両者が通信ケーブル１０で接続された構成を有している。輝度測定装置１は動画を撮影するビデオカメラの構成を有し、表示装置３０は有機ＥＬの表示パネル３１を有している。
【００１６】
この輝度測定システム１００では、図２に示すように、輝度測定装置１と表示装置３０とが配置され、輝度測定装置１により、表示パネル３１を含む撮影領域Ｒを撮影するようになっている。また、輝度測定装置１は位置が固定されているが、表示装置３０はベルトコンベアー等の移動装置６０に乗って位置が移動する。表示装置３０が方向Ｓに沿って移動し、撮影基準点Ａに到達した時点で移動装置６０が停止し、その際、輝度測定装置１が撮影領域Ｒを撮影する。撮影終了後は移動装置６０が移動し、別の表示装置３０が撮影基準点Ａに到達した時点で移動装置６０が停止して撮影が行われる。
【００１７】
そして、輝度測定装置１はレンズ２と、ＣＣＤ（Charge  Coupled  Devices）３と、Ａ／Ｄコンバータ４と、信号処理部５を有している。また、輝度測定装置１はコントローラ６と、データ記憶部７と、通信処理部８とを有している。
【００１８】
輝度測定装置１では、レンズ２が被写体（本実施の形態では主に表示パネル３１）の光学画像をＣＣＤ３（本実施の形態では解像度７２０×４８０としているが、その他の解像度でもよい）に結像する。ＣＣＤ３が光学画像に応じたアナログの撮像信号を出力し、その撮像信号をＡ／Ｄコンバータ４がデジタル信号に変換する。また、信号処理部５がデジタル信号に画像処理を施して動画像データを生成する。生成された動画像データはコントローラ６の指示によりデータ記憶部７に記憶される。
【００１９】
そして、輝度測定装置１では、コントローラ６が後述する輝度値測定処理を行うことにより、動画像データを用いて輝度値データを生成し、生成した輝度値データをデータ記憶部７に記憶させる。また、コントローラ６は通信処理部８に指示して、後述する点灯制御信号を通信ケーブル１０を介して表示装置３０に送信させている。
【００２０】
ここで、コントローラ６はＣＰＵ（Central  Processing  Unit），ＲＯＭ（Read  Only  Memory），ＲＡＭ（Random  Access  Memory）を有し、ＣＰＵがＲＯＭに記憶されているプログラムにしたがいＲＡＭに対するデータの読み書きを行いながら作動して輝度測定装置１の全体を制御するとともに、後述する輝度値測定処理を行い輝度値データを生成する。データ記憶部７はＨＤＤ（Hard  Disk  Drive）や、フラッシュメモリなどで構成され、動画像データおよび輝度値データを記録する。通信処理部８はコントローラ６の指示にしたがい作動して表示装置３０との間でデータ送受信を行う。
【００２１】
表示装置３０は、表示パネル３１と、コントローラ３２と、データ記憶部３３および通信処理部３４を有している。表示パネル３１は、有機ＥＬを用いた図３に示すように２次元格子状に配置された多数の表示素子ｅを有している。図３に示す表示パネル３１は、横（水平）方向に１９２０個、縦（垂直）方向に１０８０個の表示素子ｅを有し、これらの表示素子ｅにより、解像度１９２０×１０８０の画像を表示する。
【００２２】
これらの表示素子ｅは、図３に示すように、横１６個および縦８個を１つの点灯ブロックＭとし、点灯ブロックＭごとに表示素子ｅの点灯が制御される。
【００２３】
図３に示すように、表示パネル３１は解像度が１９２０×１０８０なので、横方向に１２０個（１９２０／１６＝１２０）の点灯ブロックＭ（Ｍ１〜Ｍ１２０）が配置され、縦方向には１３５個（１０８０／８＝１３５）の点灯ブロックが配置され、合計で１６２００個の点灯ブロックＭが配置されている。なお、図３に示すＷ１，Ｗ２・・・Ｗ１２０は横幅を示し、いずれも表示素子１６個分に相当している。また、Ｈ１，Ｈ２・・・Ｈ１３５は縦幅を示し、いずれも表示素子８個分に相当している。図３では、図示の都合上、点灯ブロックＭの境界を一部太線で表示している。
【００２４】
そして、表示パネル３１は、輝度測定装置１から入力する点灯制御信号にしたがい点灯する。点灯制御信号は、点灯させる表示素子ｅの表示パネル３１内での位置を示す座標データを有している。この座標データは、すべての点灯ブロックＭについて、点灯ブロックＭごと、点灯ブロックＭ内の位置が同じ表示素子ｅを１つずつ指定する形で生成されている。そして、座標データは、すべての点灯ブロックＭについて、点灯させる表示素子ｅを点灯パターンにしたがい順次切り換えるようにして生成されている。
【００２５】
点灯パターンとは、各点灯ブロックＭ内の複数の表示素子ｅをどのように点灯させるかを意味している。例えば、最初に最上ラインの左上の表示素子ｅを点灯させ、次にその１つ横の表示素子ｅを点灯させ、その次はその右隣の表示素子ｅを点灯させ、といった内容を点灯パターンという。点灯パターンはこのほかにもあるが、すべての点灯ブロックＭについて同じ内容になっている必要がある。
【００２６】
この座標データの生成は輝度測定装置１のコントローラ６により行われているが、表示装置３０のコントローラ３２が行ってもよい。座標データを生成するとともに、表示素子ｅを点灯させるための点灯制御信号を、座標データを用いて生成することにより、コントローラ６、コントローラ３２は点灯制御手段としての機能を備えることになる。
【００２７】
そうすると、例えば、ある点灯タイミング（第１の点灯タイミング）では、点灯ブロックＭ１の表示素子ｅ１−１と、点灯ブロックＭ２の表示素子ｅ２−１と、・・・点灯ブロックＭ１２０の表示素子ｅ１２０−１・・・が同じタイミングに点灯する。他の点灯ブロックＭについても最上ラインの左上の表示素子ｅが点灯する。また、次の点灯タイミング（第２の点灯タイミング）では、点灯ブロックＭ１では表示素子ｅ１−２、点灯ブロックＭ２の表示素子ｅ２−２といった右隣の表示素子ｅが点灯する。他の点灯ブロックＭについても同様である。なお、図３では、第１の点灯タイミングで点灯する表示素子に斜線を施している。
【００２８】
コントローラ３２は、ＣＰＵ，ＲＯＭ，ＲＡＭを有し、ＣＰＵがＲＯＭに記憶されているプログラムにしたがいＲＡＭに対するデータの読み書きを行いながら作動して表示装置３０の全体を制御する。データ記憶部３３はＨＤＤやフラッシュメモリなどで構成され、画像表示に必要なデータを記録する。通信処理部３４はコントローラ３２の指示にしたがい作動して通信処理部８との間でデータの送受信を行う。
【００２９】
次に、以上の構成を有する輝度測定システム１００における輝度値測定処理について説明する。輝度値測定処理は図７に示すフローチャートに沿ってコントローラ６が制御している。
【００３０】
コントローラ６は輝度値測定処理を開始すると、Ｓ１に動作を進め、撮影を開始する。次に、コントローラ６はＳ２に動作を進め、通信処理部８に指示して点灯制御信号を表示装置３０宛てに送信させる。すると、この点灯制御信号を表示装置３０の通信処理部３４が受信してコントローラ３２に出力する。コントローラ３２は点灯制御信号に含まれる座標データに対応する表示素子を前述の要領で点灯させる。
【００３１】
そして、コントローラ６はＳ３に動作を進め、動画像データを生成する。この場合、表示パネル３１の光学画像をレンズ２が取り込みＣＣＤ３に結像する。ＣＣＤ３はその光学画像に応じた撮像信号を出力し、この撮像信号をＡ／Ｄコンバータ４がデジタル信号に変換し、信号処理部５がデジタル信号に画像処理を施して動画像データを生成する。
【００３２】
なお、輝度測定システム１００では、動画像データの生成周期（撮影周期）と、表示パネル３１における表示素子ｅの点灯周期とを一致させ、輝度測定装置１が表示素子ｅの１回の点灯につき１フレームの動画像データを生成すればよい。輝度値データの精度を上げるためには、表示素子ｅの１回の点灯につき、輝度測定装置１が複数フレームの動画像データを生成することが好ましい。
【００３３】
次に、コントローラ６はＳ４に動作を進め、座標データが表示素子ｅの最終点灯位置に相当するか否かを判定し、座標データが最終点灯位置に相当するときはＳ６に動作を進め、そうでなければＳ５を実行したのち、Ｓ２に戻る。コントローラ６はＳ５に動作を進めると、点灯パターンに応じて座標データを更新して表示素子ｅの点灯位置を切り換える。
【００３４】
そして、Ｓ６では、コントローラ６が輝度値データ生成手段としての動作を行い、後述の手順で輝度値データを生成し、生成した輝度値データを後続のＳ７でデータ記憶部７に記憶させて（セーブして）からＳ８に動作を進める。コントローラ６はＳ８で撮影を終了すると輝度値測定処理が終了する。
【００３５】
ここで、コントローラ６が輝度値データを生成するときの手順について図４，５，６を参照して説明する。図４は撮影された動画像データを用いて表示される動画像Ｉの１フレームの画像を示す図、図５は図４における測定領域Ｐ１を示す図、図６は測定領域Ｐ１を通るライン上の輝度値を模式的に示す図である。
【００３６】
前述のとおり、表示装置３０では、点灯ブロックＭごとに同じ位置の表示素子ｅが点灯しているので、撮影される動画像Ｉは図４に示すように、表示素子ｅの点灯部分を示す円形画像Ｃが一定間隔で２次元格子状に配置された画像になる。
【００３７】
表示素子ｅの点灯によって放出される光は輝度測定装置１に到達した時点である程度の広がりをもっている。しかしながら、前述のとおり、表示素子ｅは点灯ブロックＭごとに１つずつしか点灯せず、飛び飛びの状態で点灯する。この点灯ブロックＭをある程度の大きさで決めておけば、点灯した表示素子ｅの光が隣の表示素子ｅの点灯による光に混じることの影響を解消できると考えられる。その場合、個々の円形画像Ｃは１つの表示素子ｅの点灯によるものと考えられる。しかも、点灯する表示素子ｅ同士の間隔は、横方向、縦方向とも一定の値に設定されているから、各円形画像Ｃがどの点灯ブロックＭに対応しているかを割り出すことが可能である。表示素子ｅの点灯パターンも、すべての点灯ブロックＭについて同じ内容に決められているから、対応する点灯ブロックＭを割り出せば、点灯している表示素子ｅを特定することもできる。
【００３８】
そこで、輝度測定装置１は次の要領で輝度値データを生成する。まず、動画像Ｉに含まれる円形画像Ｃを検出するため、コントローラ６が検出手段としての動作を行い、周囲の領域よりも輝度値が高い領域（高輝度領域）を検出する。検出される高輝度領域は円形画像Ｃに対応し、点灯ブロックＭの個数分だけ検出される。
【００３９】
次に、各高輝度領域から最も輝度値の高い部分を検出する。これを最高輝度位置Ｃ０とする。そして、コントローラ６が測定領域決定手段としての動作を行い、最高輝度位置Ｃ０を中心として次の大きさの領域を求め、その求めた領域を測定領域Ｐ１として決定する。
【００４０】
ここで、測定領域Ｐ１は表示素子ｅの輝度値測定のための輝度値の累積が行われる領域であって、点灯ブロックＭの個数（すなわち、同じタイミングに点灯する表示素子数）と、ＣＣＤ３の解像度とに応じて求められる。
【００４１】
前述のとおり、点灯ブロックＭの個数は横に１２０個、縦に１３５個であるが、ＣＣＤ３の解像度は横７２０×縦４８０である。したがって、横方向では、１つの点灯ブロックＭに対してＣＣＤ３を６個割り当てることができ（７２０／１２０＝６）、縦方向では、１つの点灯ブロックＭに対してＣＣＤ３を３．５個割り当てることができる（４８０／１３５≒３．５）。そうすると、各表示素子ｅの発光をＣＣＤ３が横×縦で６×３．５個のごとに検出する、と考えることができる。そこで、本実施の形態では、図５に示すように、測定領域Ｐ１の横幅ｔ１は６画素、縦幅ｔ２は３．５画素に設定している。
【００４２】
次に、コントローラ６が累積手段としての動作を行い、測定領域Ｐ１ごと測定領域Ｐ１内に含まれる画素の輝度値をすべて累積する。測定領域Ｐ１内を通るライン上の画素の輝度値Ｌを図示すると、図６に示すようになるので、この輝度値Ｌを測定領域Ｐ１内に含まれる画素すべてについて累積する。この累積で得られる累積輝度値が個々の表示素子ｅの発光により得られる輝度に相当する。コントローラ６は、以上の手順を動画像Ｉに現われるすべての測定領域Ｐ１について行って、それぞれの測定領域Ｐ１すべてについて累積輝度値を求め、さらに求めた累積輝度値を用いて輝度値データを生成する。この場合、コントローラ６は輝度値データ生成手段としての動作を行い、各累積輝度値を対応する表示素子ｅの位置データと関連付けて輝度値データを生成する。
【００４３】
そして、コントローラ６は、輝度値データの生成手順を点灯タイミングごとに行えば、すべての表示素子ｅの発光により得られる輝度を示す輝度値データが得られることになる。
【００４４】
各点灯ブロックＭには１２８個（１６×８＝１２８）の表示素子ｅが存在するので、動画像データの生成および輝度値データの生成を１２８回行えば、すべての表示素子ｅの輝度値データが得られる。これには、輝度測定装置１の撮影周期が３０ｆ／ｓの場合、１フレームあたり１回の点灯を行うとして、１２８／３０≒４．３秒程度要する。
【００４５】
以上の実施形態では、輝度測定装置１から点灯制御信号を出力しており、その点灯制御信号に点灯させる表示素子の位置示す座標データを含めていたが、点灯制御信号は座標データを含めることなく送信してもよい。この場合、点灯制御信号は表示素子ｅの点灯タイミングを表示装置３０に通知する意味を有する信号となる。座標データはコントローラ３２によって更新すればよい。
【００４６】
また、輝度測定装置１から点灯制御信号を出力せず、表示装置３０がコントローラ３２の制御にしたがい各表示素子ｅを点灯させるとともに、表示素子ｅの点灯タイミングを示すタイミング信号を輝度測定装置１に送信してもよい。
【００４７】
この場合、輝度測定装置１では、図９に示すフローチャートに沿って輝度値測定処理を行う。このフローチャートでは、コントローラ６がＳ２の代わりにＳ９を実行する。そのＳ９では、コントローラ６がタイミング信号入力手段としての動作を行い表示装置３０から送信されるタイミング信号を入力するまでコントローラ６が処理を待機し、タイミング信号を入力するとＳ３に動作を進める。Ｓ３では、コントローラ６が図７と同様に処理を実行する。その後、コントローラ６がＳ１０に動作を進め、最終のタイミング信号を受信したか否かを判定し、最終タイミング信号を受信したときはＳ６、Ｓ７、Ｓ８を図７の場合と同様に実行し、そうでなければＳ９に戻る。このようにしても、前述の同様の輝度値データが得られる。
【００４８】
さらに、輝度測定装置１のコントローラ６が表示装置３０の点灯を検出したタイミングで動画像データの生成および輝度値データの生成を行うようにしてもよい。また、輝度測定装置１と表示装置３０とが通信ケーブル１０で接続されているが、双方が無線で通信を行うようにしてもよい。
【００４９】
輝度測定装置１と表示装置３０との位置関係は、ＣＣＤ３の画素および表示素子ｅ単位にみると必ずしも明確でなく、あいまいなこともあるが、前述のようにして、表示素子ｅの点灯状態を輝度測定装置１により撮影し、その撮影で得られる動画像データを用いて測定領域Ｐ１内の輝度値を累積すれば、各点灯ブロックＭの表示素子ｅの輝度を示すデータが得られる。また、得られた累積輝度値は、対応する表示素子ｅの位置データと関連付けることも可能である。したがって、輝度測定システム１００では、輝度測定装置１と表示装置３０との位置合わせを高精度で行わなくても、輝度分布データを簡易に取得することができる。
【００５０】
また、表示パネル３１と解像度の異なる表示パネルについても、同じ輝度測定システム１００を用いて輝度値データを取得することができる。本実施の形態は、有機ＥＬ表示パネル以外の例えば液晶表示パネルやＳＥＤといった表示パネルについても適用することができる。
【００５１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５２】
【図１】本発明の実施の形態に係る輝度測定装置を備えた輝度測定システムの構成を示すブロック図である。
【図２】輝度測定装置と表示装置との位置関係を模式的に示した図である。
【図３】表示パネルを構成する表示素子の配置を示す図である。
【図４】撮影された動画像の１フレームを示す図である。
【図５】図４における測定領域を示す図である。
【図６】測定領域を通るライン上の輝度値を示す図である。
【図７】輝度値測定処理の動作手順を示すフローチャートである。
【図８】別の輝度値測定処理の動作手順を示すフローチャートである。
【符号の説明】
【００５３】
１…輝度測定装置、２…レンズ、３…ＣＣＤ、６，３２…コントローラ、３０…表示装置、３１…表示パネル、１００…輝度測定システム。
【図１】
2009156704.tif 000003
【図２】
2009156704.tif 000004
【図３】
2009156704.tif 000005
【図４】
2009156704.tif 000006
【図５】
2009156704.tif 000007
【図６】
2009156704.tif 000008
【図７】
2009156704.tif 000009
【図８】
2009156704.tif 000010